(57)【要約】集塊または大きい粒子の最小限の濃度を有する均質なサイズの粒子を含む混合物は、例えば、化学的機械的研磨スラリー、食品エマルジョン、医薬製品、塗料、およびプリントトナーの製造および使用におけるなど様々な製造工程において望ましい。本明細書において開示される方法は、そのような集塊および大きい粒子に対するそのような混合物をスクリーニングする正確かつ効率的な方法をこれらの産業に提供する。方法は、概して電解質内に混合物の懸濁液を調整することを含み、ここで、懸濁液は、電解質の１単位当り小さい粒子の指定の濃度を含む。方法は、調整された懸濁液およびその中にある複数の粒子をＣｏｕｌｔｅｒ原理に従って粒子を特徴づけることが可能なデバイスのアパーチャを通過させて、粒子についてのデータを取得することをさらに含む。なおもさらに、方法は、得られたデータから大きい粒子の粒子サイズ分布を引き出すことを含む。
2012524908.tif 000002
【特許請求の範囲】
【請求項１】
小さい粒子によってより高く濃縮させられた粒子の混合物間に存在する大きい粒子を特徴づける方法であって、該方法は、
（ａ）電解質内で該混合物の懸濁液を調整することと、
（ｂ）該調整された懸濁液および該懸濁液中の複数の該粒子をＣｏｕｌｔｅｒ原理に従って粒子を特徴づけることが可能なデバイスのアパーチャを通過させて、該粒子についてのデータを取得することと、
（ｃ）該取得されたデータから粒子サイズ分布を引き出すことであって、該懸濁液はアパーチャ容積当り少なくとも１つの小さい粒子を含み、該大きい粒子は、該小さい粒子の平均直径より少なくとも５倍大きい平均直径を有し、該アパーチャは、（ｉ）該小さい粒子の平均直径より少なくとも５０倍大きく、（ｉｉ）該大きい粒子の平均直径より約１．２倍〜該大きい粒子の平均直径より約５０倍未満大きい直径を有する、ことと
を包含する、方法。
【請求項２】
前記懸濁液は、アパーチャ容積当り少なくとも３０個の小さい粒子を含む、請求項１に記載の方法。
【請求項３】
前記懸濁液は、アパーチャ容積当り少なくとも４００個の小さい粒子を含む、請求項１に記載の方法。
【請求項４】
前記懸濁液は、アパーチャ容積当り少なくとも３１００個の小さい粒子を含む、請求項１に記載の方法。
【請求項５】
前記大きい粒子は、前記小さい粒子の平均直径より少なくとも１０倍大きい平均直径を有する、請求項１に記載の方法。
【請求項６】
前記大きい粒子は、前記小さい粒子の平均直径より少なくとも２０倍大きい平均直径を有する、請求項１に記載の方法。
【請求項７】
前記大きい粒子は、前記小さい粒子の平均直径より少なくとも５０倍大きい平均直径を有する、請求項１に記載の方法。
【請求項８】
前記アパーチャは、前記大きい粒子の平均直径より約５倍〜約４０倍大きい直径を有する、請求項１に記載の方法。
【請求項９】
前記アパーチャは、前記大きい粒子の平均直径より約１０倍〜約３０倍大きい直径を有する、請求項１に記載の方法。
【請求項１０】
前記アパーチャは、前記大きい粒子の平均直径より約１５倍〜約２５倍大きい直径を有する、請求項１に記載の方法。
【請求項１１】
前記大きい粒子は、大きい粒子の第１の堆積と、第２の堆積とを含み、大きい粒子の該第１の堆積は、前記小さい粒子の平均直径より少なくとも５倍大きい平均直径を有し、該大きい粒子の該第２の堆積は、大きい粒子の該第１の堆積の平均直径より少なくとも２．５倍大きい平均直径を有する、請求項１に記載の方法。
【請求項１２】
前記大きい粒子の前記第２の堆積の平均直径は、大きい粒子の前記第１の堆積の平均直径より少なくとも５倍大きい、請求項１１に記載の方法。
【請求項１３】
前記大きい粒子の前記第２の堆積の平均直径は、大きい粒子の前記第１の堆積の平均直径より少なくとも１０倍大きい、請求項１１に記載の方法。
【請求項１４】
小さい粒子の濃度は、大きい粒子の濃度より少なくとも１０倍大きい、請求項１に記載の方法。
【請求項１５】
小さい粒子の濃度は、大きい粒子の濃度より少なくとも１，０００倍大きい、請求項１に記載の方法。
【請求項１６】
小さい粒子の濃度は、大きい粒子の濃度より少なくとも１００，０００倍大きい、請求項１に記載の方法。
【発明の詳細な説明】
【技術分野】
【０００１】
（関連出願の参照）
２００９年４月２４日に出願された米国仮出願第６１／１７２，４９１号の利益が、３５  Ｕ．Ｓ．Ｃ．§１１９（ｅ）のもとで本明細書によって主張され、上記米国仮出願の開示は参照することにより本明細書に援用される。
【０００２】
（背景）
（開示の分野）
本開示は、概して、Ｃｏｕｌｔｅｒ原理に従って粒子を特徴づける方法に関し、より具体的には、大部分が一様なサイズである、より小さい粒子の混合物間に存在する大きい粒子を特徴づける方法に関する。
【背景技術】
【０００３】
(関連技術の簡単な説明）
同じサイズの粒子の懸濁液は多くの産業において有用である。同じサイズの粒子が好ましくはサイズおよび重さの点において均質である場合、これらの液体はしばしば大きな利益をもたらす。例えば、化学的機械的平坦化は、伝統的にガラス研磨に用いられる、液体の流れの用途であり、今日一般的に半導体の製造に用いられる。化学的機械的平坦化（ＣＭＰ）の用途は、シリコンウェーハを磨くためにスラリーを用い、半導体素子の製作のために一様なスクラッチフリーの表面を提供する。これらのスラリーは、しばしば、中央施設において作製され、混合され、次いで分配ラインを通って伝えられ、表面を磨くのに適した装置に分配される。これらのスラリーは、概して多分散系コロイド性粒子またはヒュームド研磨粒子から成る。重要なことであるが、これらのスラリーは、サイズが最大０．２マイクロメートル（μｍ）の非常に細かい粒子を含む。より大きいサイズの粒子（例えば、１μｍ以上）が、研磨のためにスラリーが分配されるプロセス時点においてしばしばスラリーに存在する。これらのより大きい粒子は、剪断、塊状過程の結果として、またはスラリー内の異物の存在により形成され得る。研磨中に存在する塊状スラリー粒子は、望ましくなく、異なる研磨圧力による深い刻み目または非一様の研磨による例えばスクラッチなど、ウェーハにおける多くの欠陥を引き起こし得る。塊状粒子の存在は、スラリーがウェーハに送達される前に集塊を除去するために、細かい粒子を注意深くひき割り、スラリー配分のスラリー上流を連続して混合し、適切な電解質平衡を維持し、分配点においてフィルタを用いることによって、最小限にされ得る。
【０００４】
集塊の特定の最小限の濃縮を有する均質なサイズの粒子の望ましさは、確かにＣＭＰ用途に限定されない。それどころか、この望ましさは様々な他の用途に及ぶ。例えば、薬品工業において、集塊および異なるサイズの粒子は、活性物質の正確かつ再生可能な服用量を含まなければならない薬品調合において望ましくない。これらの粒子は蛋白質を含み得、蛋白質は溶液内にある場合塊状になる傾向があり得る。塊状化は、たんぱく質の活性および安定性に影響し得、従って、薬品工業は、蛋白質の溶液が塊状蛋白質およびこれらの塊状蛋白質の濃縮を含むかどうかを知る必要がある。さらに、これらの調合が消費者の使用のために行われる場合、消費者に対する魅力がより大きな関心となり、このことは、調合が一様で美学的に魅力的で再生可能な品質を有することが必要であり得ることを意味する。集塊の特定の最小限の濃縮を有する均質なサイズの粒子が高く評価される別の実施例は、レーザプリンタおよび写真複写機械において用いられるトナー組成の製造においてである。集塊の相当な濃縮または大きい粒子を有するトナー製品は、印刷物に欠陥を引き起こし得、プリンタおよび写真複写機械をも損傷し得る。ＣＭＰスラリーの場合のように、薬品およびトナー製品の製造に関連する技術は、ひき割りおよび混合の手順を改善し、フィルタを用いることによって大きい粒子を最小限にするニーズに対処するよう試みてきた。
【発明の概要】
【発明が解決しようとする課題】
【０００５】
しかし、大部分が一様なサイズの細かい（より小さい）粒子から構成される溶液において大きい粒子を特徴づけるニーズに対処する試みにもかかわらず、当該技術において非効率のままである。そしてそれらの非効率さが、（例えば、半導体製造および薬品製造などの）製造工程に望ましくない方法で影響し得る。従って、大部分が一様なサイズの細かい（より小さい）粒子から構成される懸濁液において大きい粒子をより効率的に検出し、特徴づけるニーズが依然としてある。
【課題を解決するための手段】
【０００６】
（概要）
本明細書において開示されるものは、小さい粒子によってより高く濃縮させられた粒子の混合物間に存在する大きい粒子を特徴づける方法である。方法は、概して電解質内に混合物の懸濁液を調整することを含む。方法は、調整された懸濁液およびその中にある複数の粒子をＣｏｕｌｔｅｒ原理に従って粒子を特徴づけることが可能なデバイスのアパーチャを通過させて、粒子についてのデータを取得することをさらに含む。なおもさらに、方法は、得られたデータから粒子サイズ分布を引き出すことを含む。懸濁液は、アパーチャ容積当り少なくとも１つの小さい粒子を含む。大きい粒子は、小さい粒子の平均直径より少なくとも５倍大きい平均直径を有する。アパーチャは、（ｉ）小さい粒子の平均直径より少なくとも５０倍大きく、（ｉｉ）大きい粒子の平均直径より約１．２倍〜大きい粒子の平均直径より約５０倍未満大きい直径を有する。
【０００７】
方法は、Ｃｏｕｌｔｅｒ原理に従って粒子を特徴づけることが可能なデバイスを有利に用いる。従って、開示された方法を行うために、現在市販されているものを越えるいかなる特別な装置も必要ではない。さらに開示される方法は特に有用である。なぜなら、本方法は、複雑で面倒な希釈および特徴づけられる試料においてまれにしか起らない粒子から収集される乏しいデータに起因する不正確な報告など、従来の方法に伴う問題を回避するかまたは減少させる粒子特徴づけ方法を提供するからである。開示される方法によって、例えば、化学的機械的研磨スラリー、食品エマルジョン、塗料、医薬品、ならびにプリンタおよび写真複写機のトナーなど様々な組成に存在する大きい粒子をより効率的に検出しかつ特徴づけることが今や可能である。
【０００８】
本発明の更なる特徴は、図面、実施例、および添付の特許請求の範囲と共に解されると、以下の詳細な説明の検討から当業者に明らかとなり得る。
【０００９】
本開示のより完全な理解のために、以下の詳細な説明および添付の図面に参照がなされるべきである。
【図面の簡単な説明】
【００１０】
【図１】図１は、Ｃｏｕｌｔｅｒ装置の概略図であり、Ｃｏｕｌｔｅｒ装置は、検出器およびアパーチャを含む。
【図１Ａ】図１Ａは、アパーチャの分解組立図である。
【図２】図２〜図８は、実施例において説明される試料に存在する粒子の粒子サイズ分布（すなわち、粒子サイズの関数としての粒子の数）を例示するグラフである。
【図３】図２〜図８は、実施例において説明される試料に存在する粒子の粒子サイズ分布（すなわち、粒子サイズの関数としての粒子の数）を例示するグラフである。
【図４】図２〜図８は、実施例において説明される試料に存在する粒子の粒子サイズ分布（すなわち、粒子サイズの関数としての粒子の数）を例示するグラフである。
【図５】図２〜図８は、実施例において説明される試料に存在する粒子の粒子サイズ分布（すなわち、粒子サイズの関数としての粒子の数）を例示するグラフである。
【図６】図２〜図８は、実施例において説明される試料に存在する粒子の粒子サイズ分布（すなわち、粒子サイズの関数としての粒子の数）を例示するグラフである。
【図７】図２〜図８は、実施例において説明される試料に存在する粒子の粒子サイズ分布（すなわち、粒子サイズの関数としての粒子の数）を例示するグラフである。
【図８】図２〜図８は、実施例において説明される試料に存在する粒子の粒子サイズ分布（すなわち、粒子サイズの関数としての粒子の数）を例示するグラフである。
【発明を実施するための形態】
【００１１】
開示される方法は様々な形式での実施形態が可能であるが、本開示が例示であることが意図され、本明細書において説明され例示される特定の実施形態に本発明を限定することは意図されないという理解によって、本発明の特定の実施形態が図面に例示され（そして以下に説明され）る。
【００１２】
（詳細な説明）
上記の背景の考察は、大部分が一様なサイズの細かい（より小さい）粒子から構成される懸濁液に存在し得る大きい粒子を特徴づけるという、様々な技術における重要性を識別する。大きい粒子は、塊状過程もしくは重合によって形成され得るか、または不備もしくは不完全なひき割り方法もしくは形成方法に起因する残された粒子であり得る。粒子は、非生物または生物であり得る。非生物学的粒子は、例えば、化学的機械的平坦化において用いられる研磨材と、金属粒子と、ラテックス粒子と、シリカ粒子とを含み得る。生物学的粒子は、例えば、細胞と、蛋白質と、でんぷん粒と、他の生物学的ポリマーの集合体とを含み得る。本明細書に開示される方法は、小さい粒子によってより高く濃縮させられた粒子の混合物間に存在する大きい粒子を正確にかつ効率的に検出し特徴づける能力を有する技術を提供する。方法は、Ｃｏｕｌｔｅｒ原理に従って粒子を特徴づけることが可能なデバイスを用いる。実際に、Ｃｏｕｌｔｅｒ原理に従って粒子を特徴づけることが可能な従来の装置は、開示される方法を実行するために用いられ得る。しかしながら、そのような装置およびＣｏｕｌｔｅｒ原理の従来の適用は、当該技術におけるニーズに対処するのに必ずしも適していない。
【００１３】
従来の用途において、装置は、小さいアパーチャを通って電解質溶液内に浮遊する複数の粒子を一回に１つの粒子を引く。アパーチャは、２つの電極の間に位置を定められ、電流は、それらの２つの電極の間を流れ、センシングゾーンを作る。粒子がアパーチャ（またはセンシングゾーン）を通過すると、粒子はそれ自体の電解質の体積を変位させ、直ちに２つの電極間のインピーダンスを変更する。このインピーダンスの突然の変化は、測定され、デジタルで処理され得る瞬時信号を生成する。従来の用途において、大きい粒子および小さい粒子の混合物を特徴付ける場合、小さい粒子または大きい粒子のいずれかがアパーチャを通過するときバックグランドから識別可能である信号を生成するアパーチャ直径が選択される。信号は、それを生成する粒子の体積に関係しており、その結果、浮遊している粒子の数のサイズ分布、体積および表面積は、そのようなデータの分析から得られ得る。さらに、既知の体積の粒子浮遊がアパーチャを通って引かれる場合、浮遊している粒子の濃縮が得られ得る。そのような特徴づけに要する時間は、典型的には約３分であり、望ましくない粒子の沈殿および集合の理由から約３０分に制限される。これらの時間制約の理由から従来の適用は制限を有し、それらの制限は対処されないままであると誤った特徴づけおよび統計的サンプリング誤差を導き得る。
【００１４】
一つのそのような誤った特徴づけはコインシデンス効果と呼ばれ、コインシデンス効果はいくつかの粒子が同時にアパーチャを通過するとき発生する。同じ瞬間にアパーチャ内の複数の粒子によって生成されるインピーダンスの変化の大きさは、結果として、計算された粒子サイズ分布における誤差をもたらし、試料内に実際に存在する粒子より大きい粒子があるように見せる。粒子の濃度が増加すると、複数の粒子が同時にアパーチャを通過する確率が急に増加する。コインシデンス効果および付随する誤った特徴づけは、概して、一度に１つのみの粒子がアパーチャを通過するように電解質内の粒子の濃度を十分に減らすことによって回避される。開始試料の濃度に従ってそしてこの誤差を回避するために、例えば最大５，０００〜１００，０００倍以上の希釈はまれではない。
【００１５】
しかしながら、希釈は、結果として統計的サンプリング誤差をもたらし得る。例えば、小さい粒子の高い濃度および大きい粒子の低い濃度を含む試料において、希釈は、結果として比較的乏しい大きい粒子をカウントする際に実質的なサンプリング誤差をもたらし得る。これらの誤差は、結果として大きい粒子の過大報告または過少報告のいずれをもたらし得る。サンプリング誤差の理由により、大きい粒子が過大サンプリングされ、大きい粒子の報告された濃度が実際の濃度よりはるかに高い場合、過大報告が生じる。同様に、大きい粒子が過少サンプリングされ、大きい粒子の報告された濃度が実際の濃度よりはるかに低い場合、過少報告が生じる。この過大報告および過少報告の問題は、希釈係数が増加するにつれ増幅される。より大きい体積の非常に希釈された試料は、同じ器具において順次にまたは複数の器具において平行してのいずれかで、希釈された試料に対して複数の試験を行うことによって特徴づけられ得る。しかしながら、そのようなアプローチは、ラン対ラン変動および器具対器具変動の形態で実験誤差の追加の源泉を必然的に導く。
【００１６】
上記に説明されたＣｏｕｌｔｅｒ原理の従来の適用は、例えばＣＭＰスラリーにおける大きい粒子の存在を検出するのにあまり適していない。そのようなスラリーは、典型的には、１ミリリットルの液体当り何十億の一様のサイズの小さい粒子を含む。そのような高い濃度において、これらの粒子は、いくつかの粒子が同時にアパーチャを通過する場合に生じると知られているコインシデンス効果を必然的に伴う。上記に注意されたように、コインシデンス効果は、概して、一度に１つのみの粒子がアパーチャを通過する点まで粒子の濃度を減らすことによって（すなわち、試料を希釈することによって）回避される。しかしながら、そのような希釈は、上記に説明されたサンプリング誤差を導き得る。より重要なことであるが、例えば、特徴づけを試みられる溶液がその意図した目的のために用いられることが必要であり（例えば、ＣＭＰ適用におけるスラリーとして）、品質管理分析のためだけに破壊されるべきではない場合、そのような希釈は全く好ましくない場合がある。さらに、甚だしい希釈は、大きい体積に関連する長い特徴づけ時間のために望ましくない沈殿または集合に導き得る。
【００１７】
ＣＭＰスラリーの特徴づけに加えて、開示される方法は、蛋白質を含む溶液を特徴づける際に有用であり得る。溶液内の蛋白質は、塊状となる傾向があり得る。従って、蛋白質溶液は、比較的まれな大きい蛋白質塊状と、非塊状の（より小さい）蛋白質の比較的高い濃度とを含み得る。
【００１８】
本明細書において開示される方法は、小さい粒子とより高く濃縮させられた粒子の混合物間に存在する大きい粒子を迅速に特徴づける能力を有する技術を提供する。方法は、Ｃｏｕｌｔｅｒ原理に従って粒子を特徴づけることが可能なデバイスを用いるが、望ましくはさらに、コインシデンス効果を回避し、Ｃｏｕｌｔｅｒ原理の従来の適用に従いしばしば必要な甚だしい希釈を回避する。より具体的には、開示される方法は、概して電解質の混合物の懸濁液を作製することを含む。方法は、Ｃｏｕｌｔｅｒ原理に従って粒子を特徴づけることが可能なデバイスのアパーチャに、作製された懸濁液およびそこにある複数の粒子を通過させて、粒子についてのデータを入手することをさらに含む。なおもさらに、方法は、得られたデータから大きい粒子の粒子サイズ分布を引き出すことを含む。
【００１９】
懸濁液は、アパーチャ容積当り少なくとも１つの小さい粒子を含む。好ましくは、懸濁液は、アパーチャ容積当り少なくとも３０の小さい粒子、そしてさらにより好ましくはアパーチャ容積当り少なくとも４００の粒子、そしてなおもより好ましくはアパーチャ容積当り少なくとも３１００の粒子を含む。
【００２０】
大きい粒子は、小さい粒子の平均直径より少なくとも５倍大きい平均直径を有する。あるいは、大きい粒子は、小さい粒子の平均直径より少なくとも１０倍、２０倍、または５０倍大きい平均直径を有し得る。
【００２１】
アパーチャの直径は、大きい粒子が有効測定範囲内であり、小さい粒子が有効測定範囲外であるように選択される。アパーチャは、（ｉ）小さい粒子の平均直径より少なくとも５０倍大きい平均直径を有し、（ｉｉ）大きい粒子の平均直径より約１．２倍〜大きい粒子の平均直径より約５０倍未満大きい直径を有する。あるいは、アパーチャは、大きい粒子の平均直径より約５倍〜約４０倍、約１０倍〜約３０倍、または約１５倍〜約２５倍である直径を有する。
【００２２】
開示される方法はまた、好ましくは、小さい粒子とより高く濃縮させられた粒子の混合物間に存在する異なるサイズの大きい粒子を特徴づける能力を有する技術を提供する。具体的には、大きい粒子は、大きい粒子の第１の堆積と、第２の堆積とを含み得、そのような堆積の各々は、安定した平均サイズを有する粒子によって規定される。例えば、一実施形態に従って、大きい粒子の第１の堆積は、小さい粒子の平均直径より少なくとも５倍大きい平均直径を有し得、大きい粒子の第２の堆積は、大きい粒子の第１の堆積の平均直径より少なくとも２．５倍大きい平均直径を有し得る。代替の実施形態において、大きい粒子の第２の堆積の平均直径は、大きい粒子の第１の堆積の平均直径より少なくとも５倍大きい。別の代替の実施形態において、大きい粒子の第２の堆積の平均直径は、大きい粒子の第１の堆積の平均直径より少なくとも１０倍大きい。大きい粒子の更なる堆積は、存在し得、開示される方法に従って特徴づけが可能であり得る。方法は、一様なサイズの小さい粒子とより高く濃縮した混合物に存在し得る異なるサイズの大きい粒子の存在を特徴づけるほど十分に柔軟性がある。
【００２３】
開示される方法の実施形態に従って、例えば化学的機械的研磨スラリーに存在する大きい粒子をより正確にかつ効率的に検出し、特徴づけることが可能である。そのような特徴づけによって、半導体製造業者は、スラリーがウェーハを磨くために用いられる前にスラリーから大きい粒子を除去するのに必要な対策を取り得るか、または全く異なるスラリーを用いることを考慮し得る。従って、半導体製造業者は、スラリーがウェーハをひっかき得る可能性を回避することを改善するか、またはさもなければ非一様の方法でウェーハを磨くことが可能である。さらに、開示される方法は、従来の装置で実行され得る。なおもさらに、製造業者は、装置を利用するために面倒な希釈技術を用いる必要がない。同様に開示される方法は、例えば、食品エマルジョン、医薬品、塗料、ならびにプリンタおよび写真複写機のトナーの製造などにおける、大きい粒子の最小限の濃度が望ましい様々な他の組成に存在する大きい粒子をより正確にかつ効率的に検出し、特徴づけることを可能にする。
【００２４】
開示される方法は、小さい粒子の濃度に比較して試料内に微量の大きい粒子が存在する場合、または換言すると、小さい粒子とより高く濃縮した粒子の混合物間に大きい粒子が存在する場合、開示される方法の最大の利点を達成する。従って、小さい粒子の濃度は、好ましくはより大きい粒子の濃度の少なくとも１０倍である。より好ましくは、小さい粒子の濃度は、より大きい粒子の濃度の少なくとも１，０００倍である。さらにより好ましくは、小さい粒子の濃度は、より大きい粒子の濃度の少なくとも１００，０００倍である。
【００２５】
本明細書において用いられる場合、粒子を規定するために用いられる形容詞「大きい」および「小さい」ならびにこれらの変形は、類似のサイズの粒子の堆積の直径を参照する。従って、混合物が０．１マイクロメートル（μｍ）の直径を有する粒子を含むように設計され、意図される場合、そのような粒子は「小さい」粒子として考えられ得、一方、０．５μｍ以上の直径を有する同じ混合物内の粒子は「大きい」粒子として考えられる。
【００２６】
各粒子およびあらゆる粒子の実際の直径を正確に指定することは、困難であるか、非現実的であるか、またはさもなければ不要であり得る。しかしながら、開示される方法の目的のために、そのような精度で粒子を規定することは必要ではない。従って、本明細書において用いる場合、用語「平均直径」は、大きいまたは小さいと分類し得るかまたはさもなければ大きい粒子および小さい粒子の下位堆積に分類し得る粒子の平均直径を規定するように意図される。そのような正確な測定が既知であるか、可能であるか、または現実的であり、そして粒子がそのような精度で分類され得る場合、そのような粒子の「平均」直径は、もちろん実際の直径とよりきっちりと一致し得る。
【００２７】
図１を参照すると、小さい粒子および大きい粒子を含む試料は、適切な電解質内に浮遊され得、試料溶液３０を取得し得る。ＩＳＯ  １３３１９：Ｄｅｔｅｒｍｉｎａｔｉｏｎ  ｏｆ  ｐａｒｔｉｃｌｅ  ｓｉｚｅ  ｄｉｓｔｒｉｂｕｔｉｏｎｓ−Ｅｌｅｃｔｒｉｃａｌ  ｓｅｎｓｉｎｇ  ｚｏｎｅ  ｍｅｔｈｏｄｓ、Ａｎｎｅｘ  Ａ．２，２０００（（Ｍａｔｅｒｉａｌｓ  ａｎｄ  ｒｅｃｏｍｍｅｎｄｅｄ  ｅｌｅｃｔｏｌｙｔｅ  ｓｏｌｕｔｉｏｎｓ））を参照されたい。電流が電極間に流れて、アパーチャ１０によって規定されるセンシングゾーンを作る。試料溶液３０は、アパーチャ１０を通過する。アパーチャ１０を通過する試料溶液３０内の粒子は、電解質の対応する体積を変位させ、電極２０間のインピーダンスを直ちに変化させる。検出器４０は、インピーダンスのこの過渡変化を測定し、この過渡変化は、コンピュータ５０によって有用なデータに変換され得るパルスとして記録される。
【００２８】
アパーチャは、例えば約２０μｍ〜約２０００μｍの範囲などの直径の範囲内において使用可能である。開示される方法に従って、アパーチャは、試料溶液内の小さい粒子がアパーチャの有効測定範囲外にあるように選択される。驚くべきことに、小さい粒子がアパーチャの有効測定範囲外にある場合、小さい粒子は、大きい粒子の正確な特徴づけを妨げない。アパーチャの有効測定範囲は、概してアパーチャ直径の約２％〜約８０％である。従って、例えば、５０μｍの直径を有するアパーチャに対する有効測定範囲は、１μｍ（５０の２％）〜４０μｍ（５０の８０％）である。典型的な有効測定範囲は、例えば、下記の表１に詳述される。典型的なアパーチャ容積はまた、例えば、下記の表に詳述される。
【００２９】
【表１】
2012524908.tif 000003
アパーチャは、大きい粒子によって妨害されやすいので、開示される方法の好ましい実施形態は、アパーチャ直径の約２％〜約６０％である有効測定範囲の使用を含む。
【００３０】
しかしながら、Ｃｏｕｌｔｅｒ原理の従来の適用は、小さい粒子および大きい粒子の両方を測定することが可能であるアパーチャ直径を選択するように教示する。なぜなら、そのような適用は、典型的には、混合物内の粒子のすべてを正確にカウントするかさもなければ特徴づけるために用いられるからである。しかしながら、本方法の場合、小さい粒子に関係するデータは必ずしも適切ではなく、従って、アパーチャ直径はＣｏｕｌｔｅｒ原理の従来の適用に従って最もよく選択されない。
【００３１】
開示される方法の利益は、前述の表を参照して以下の仮説の比較から明らかである。試料が１．５μｍの平均直径を有する小さい粒子と、２０μｍの平均直径を有する微量の大きい粒子とを含むと仮定されたい。Ｃｏｕｌｔｅｒ原理の従来の適用および従来の装置に従って、試料は、どちらかのサイズの粒子の１つのみがアパーチャ内に一度に存在する程度まで希釈され、５０μｍの直径を有するアパーチャは、装置が大きい粒子および小さい粒子の両方を検出するように選択される。従来の適用と比べて、開示される方法によって１００μｍの直径を有するアパーチャが選択され得る。なぜなら、アパーチャは、小さい粒子ではなく、大きい粒子を効果的に測定するからである。さらに、試料は、従来の適用によって必要とされるよりも実質的に少ない希釈（あったとしても）を必要とし、より少ない時間で統計的に有効な数の大きい粒子の特徴づけを可能にする。開示される方法は、Ｃｏｕｌｔｅｒ原理の従来の適用に従って必要とされる試料の希釈を約１０倍〜約１００倍の係数で減少させ得るか、または希釈を全く排除し得る。
【００３２】
アパーチャの容積は、アパーチャの寸法に基づいて計算され得る。アパーチャは概して円筒形の形状であるが、但し他の形状は可能である。概して、円筒形アパーチャに関して、アパーチャの深さは直径と共に変化する。従って、より小さい直径を有するアパーチャはより小さい深さを有し、より大きい直径を有するアパーチャはより大きい深さを有する。
【００３３】
開示される方法を用いて、驚くべきことに、小さい粒子および大きい粒子を含む試料において通常許容可能である粒子濃度より高い粒子濃度で大きい粒子が正確に特徴づけられ得ることが見出された。具体的には、本明細書において開示される方法は、アパーチャ内に小さい粒子が存在する場合において大きい粒子の特徴づけを可能にする。
【００３４】
更なる実施形態に従って、小さい粒子の直径より大きい有効測定範囲を有するアパーチャの選択に加えて、測定閾値電流などの検出閾値は検出器具において定められ得る。検出閾値は、小さい粒子によって生成される器具応答が検出閾値より下に減少しその後大きい粒子の特徴づけを妨げないように、選択され得る。
【００３５】
開示される方法は、オプションで、小さい粒子および電解質のみを含む懸濁液のバックグラウンド測定を得ることを含み得る。このバックグランド測定は、試料溶液測定から引かれて、大きい粒子測定を取得し得る。
【００３６】
本開示される方法は、粒子を特徴づけるためにＣｏｕｌｔｅｒ原理を用い、なおも、複雑で面倒な希釈および結果としてのサンプリング誤差により特徴づけられる粒子の過大検出および過少検出など、Ｃｏｕｌｔｅｒ原理の従来の適用に伴う問題を回避するかまたは減少させる。驚くべきことに、開示される方法に従って、アパーチャ内におけるいくつかの小さい粒子の存在は、大きい粒子の正確な特徴づけを妨げない。
【実施例】
【００３７】
以下の実施例は、本発明を例示するために提供されるが、本発明の範囲を限定することは意図されない。実施例１は、概して、本開示される方法が小さい直径の粒子のより高い濃度を含む溶液に存在する大きい直径の粒子を特徴づけることが可能であることを実証する。実施例２は、概して、開示される方法が、大部分のより小さい粒子を含む懸濁液に存在する大きい粒子を特徴づけ得るのみならず、同時に、大部分のより小さい粒子を含む懸濁液に存在する異なるサイズの大きい粒子を特徴づけ得ることを実証する。実施例３は、統計的サンプリング誤差−分散−および同じ試料の複数のラン間の結果の相違が希釈を減少させることによって減少され得ることを実証する。
【００３８】
（実施例１）
この実施例は、本開示される方法が小さい直径の粒子でより高く濃縮させられた懸濁液に存在する大きい直径の粒子を特徴づけることが可能であることを実証する。
【００３９】
４つの試料溶液であって、各々が電解質（Ｂｅｃｋｍａｎ  Ｃｏｕｌｔｅｒ，Ｆｕｌｌｅｒｔｏｎ，ＣＡから市販されているＩＳＯＴＯＮ（登録商標）ＩＩ  Ｄｉｌｕｅｎｔ）に浮遊する大きいサイズの粒子および小さいサイズの粒子を含む、試料溶液を調整し、次いで本開示される方法の実施形態に従って分析した。各試料溶液は、０．１μｍの直径を有する小さいポリスチレンラテックス（ＰＳＬ）粒子の同じ濃度、すなわち電解質１ｍＬ当り４．５×１０１０個の小さい粒子の濃度を含む。４つの試料の各々は、１．２μｍの直径を有する大きいＰＳＬ粒子の異なる濃度を含む。従って、各試料における小さい粒子の直径に対する大きい粒子の直径の比率は１２である。
【００４０】
第１の試料溶液はまた、電解質１ｍＬ当り１５，０００個の大きい粒子を含む。従って、この試料は、大きい（１．２μｍ）粒子より３００万倍高い、小さい（０．１μｍ）粒子の濃度を有する。
【００４１】
第２の試料溶液はまた、電解質１ｍＬ当り６０，０００個の大きい粒子を含む。従って、この試料は、大きい（１．２μｍ）粒子より７５万倍高い、小さい（０．１μｍ）粒子の濃度を有する。
【００４２】
第３の試料溶液はまた、電解質１ｍＬ当り１５０，０００個の大きい粒子を含む。従って、この試料は、大きい（１．２μｍ）粒子より３０万倍高い、小さい（０．１μｍ）粒子の濃度を有する。
【００４３】
第４の試料溶液はまた、電解質１ｍＬ当り３００，０００個の大きい粒子を含む。従って、この試料は、大きい（１．２μｍ）粒子より１５万倍高い、小さい（０．１μｍ）粒子の濃度を有する。
【００４４】
４つの試料の各々を、Ｂｅｃｋｍａｎ  Ｃｏｕｌｔｅｒ  ＭｕｌｔｉｓｉｚｅｒＴＭ  ３Ｃｏｕｌｔｅｒ  Ｃｏｕｎｔｅｒ（登録商標）デバイス（Ｂｅｃｋｍａｎ  Ｃｏｕｌｔｅｒ，Ｆｕｌｌｅｒｔｏｎ，ＣＡから市販されている）において分析した。デバイスは、９ｐＬのアパーチャ容積で２０μｍの直径を有するアパーチャを用いた。１ｍＬ当り４．５×１０１０個の小さい粒子によって、これらの実験のための懸濁液は、アパーチャ容積当り約４００個の小さい粒子を含む。測定閾値電流を４００マイクロアンペア（μＡ）に設定し、ゲインを８に設定した。試料に対するランタイムは、約７０秒である。
【００４５】
デバイスは、各試料に存在する粒子を特徴づけた。図２は、第１の試料溶液に存在する粒子（電解質１ｍＬ当り１５，０００個の大きい粒子）の粒子サイズ分布（すなわち、粒子サイズの関数としての粒子の数）を提示する。図２に示されるように、用いられた方法は、大きいサイズの存在を特徴づけた。具体的には、小さい粒子（０．１μｍ）の最大３００万倍高い濃度の存在にもかかわらず、大きい粒子（１．２μｍ）に関連するピーク高さは、大きい粒子濃度に比例する。
【００４６】
図３は、（電解質１ｍＬ当り６０，０００個の大きい粒子を含む）第２の試料溶液に存在する粒子の粒子サイズ分布（すなわち、粒子サイズの関数としての粒子の数）を提示する。図３に示されるように、用いられた方法は、大きい粒子の存在を特徴づけた。具体的には、小さい粒子（０．１μｍ）の最大７５万倍高い濃度の存在にもかかわらず、大きい粒子（１．２μｍ）に関連するピーク高さは、大きい粒子濃度に比例する。
【００４７】
図４は、（電解質１ｍＬ当り１５０，０００個の大きい粒子を含む）第３の試料溶液に存在する粒子の粒子サイズ分布（すなわち、粒子サイズの関数としての粒子の数）を提示する。図４に示されるように、用いられた方法は、大きい粒子の存在を特徴づけた。具体的には、小さい粒子（０．１μｍ）の最大３０万倍高い濃度の存在にもかかわらず、大きい粒子（１．２μｍ）に関連するピーク高さは、大きい粒子濃度に比例する。
【００４８】
図５は、（電解質１ｍＬ当り３００，０００個の大きい粒子を含む）第４の試料溶液に存在する粒子の粒子サイズ分布（すなわち、粒子サイズの関数としての粒子の数）を提示する。図５に示されるように、用いられた方法は、大きい粒子の存在を特徴づけた。具体的には、小さい粒子（０．１μｍ）の最大１５万倍高い濃度の存在にもかかわらず、大きい粒子（１．２μｍ）に関連するピーク高さは、大きい粒子濃度に比例する。
【００４９】
測定中にアパーチャを通過する試料の体積は測定条件から既知であるので、粒子サイズ分布は、希釈係数と組み合せて、試料内の大きい粒子の濃度の計算を可能にする。従って、この実施例は、用いられた方法が大部分−例えば、３００，０００倍〜３，０００，０００倍より高い濃度−のより小さい粒子を含む懸濁液に存在する大きい粒子をわずか約７０秒で特徴づけ得ることを実証する。
【００５０】
（実施例２）
この実施例は、開示される方法が、大部分のより小さい粒子を含む懸濁液に存在する大きい粒子を特徴づけ得るのみならず、同時に、大部分のより小さい粒子を含む懸濁液に存在する異なるサイズの大きい粒子を特徴づけ得ることを実証する。
【００５１】
２つの試料溶液であって、各々が電解質（ＩＳＯＴＯＮ（登録商標）ＩＩ  Ｄｉｌｕｅｎｔ）に浮遊する大きいサイズ粒子および小さいサイズ粒子を含む、試料溶液を調整し、次いで本開示される方法の実施形態に従って分析した。各試料溶液は、０．１μｍの直径を有する小さいＰＳＬ粒子の同じ濃度、すなわち電解質１ｍＬ当り４．５×１０１０個の小さい粒子の濃度を含む。
【００５２】
第１の試料溶液はまた電解質１ｍＬ当り１０００個の粒子を含み、粒子は２μｍの直径を有する。従って、小さい粒子（０．１μｍ）の直径に対する大きい粒子（２μｍ）の直径の比率は２０である。さらに、溶液は、大きい粒子（２μｍ）より４５００万倍多い小さい粒子（０．１μｍ）を含む。
【００５３】
第２の試料溶液はまた同様に電解質１ｍＬ当り１０００個の粒子を含み、粒子は２μｍの直径を有する（そして従って、小さい粒子（０．１μｍ）の直径に対するこの粒子（２μｍ）の直径の比率は同様に２０である）。しかしながら、第２の試料溶液は、７００ＰＳＬの粒子をさらに含み、粒子の各々は５μｍの直径を有する（小さい粒子（０．１μｍ）の直径に対するこの粒子（５μｍ）の直径の比率は５０である）。第１の試料溶液と同様に、この第２の試料溶液は、２μｍサイズ粒子より４５００万倍多い小さい粒子を含む。さらに、この第２の試料溶液は、５μｍサイズ粒子より６４００万倍超多い小さい粒子を含む。
【００５４】
２つの試料溶液は、アパーチャの直径が５０μｍでありアパーチャ容積が６９ｐＬであることを除いて、上記の実施例１に説明される方法と同じ方法で分析された。１ｍＬ当り４．５×１０１０個の小さい粒子によって、これらの実験のための懸濁液は、アパーチャ容積当り約３１００個の小さい粒子を含む。測定閾値電流を８００μＡに設定し、ゲインを８に設定した。試料に対するランタイムは、約１０２秒である。
【００５５】
図６は、（電解質１ｍＬ当り１，０００個の２μｍサイズ粒子を含む）第１の試料溶液に存在する粒子の粒子サイズ分布（すなわち、粒子サイズの関数としての粒子の数）を提示する。図６に示されるように、用いた方法は、２μｍサイズ粒子の存在を特徴づけた。具体的には、小さい粒子（０．１μｍ）の最大４５００万倍高い濃度の存在にもかかわらず、２μｍサイズ粒子に関連するピーク高さは、２μｍサイズ粒子濃度に比例する。
【００５６】
図７は、（電解質１ｍＬ当り１，０００個の２μｍサイズ粒子を含み、電解質１ｍＬ当り７００個の５μｍサイズ粒子を含む）第２の試料溶液に存在する粒子の粒子サイズ分布（すなわち、粒子サイズの関数としての粒子の数）を提示する。図７に示されるように、用いられた方法は、２μｍサイズ粒子および５μｍサイズ粒子の両方の存在を特徴づけた。具体的には、２μｍサイズ粒子に対して小さい粒子（０．１μｍ）の最大４５００万倍高い濃度および５μｍサイズ粒子に対して小さい粒子（０．１μｍ）の最大６４００万倍超高い濃度の存在にもかかわらず、２μｍサイズ粒子および５μｍサイズ粒子に関連するピーク高さは、各々のサイズ粒子濃度に比例する。
【００５７】
測定中にアパーチャを通過する試料の体積は測定条件から既知であるので、粒子サイズ分布は、希釈係数と組み合せて、試料内の異なるサイズの大きい粒子の濃度の計算を可能にする。従って、この実施例は、用いられた方法が、大部分−例えば、４，５００万倍より高い濃度−のより小さい粒子を含む懸濁液に存在する大きい粒子を特徴づけ得るのみならず、同時に、大部分より小さい粒子（０．１μｍサイズ粒子）を含む懸濁液に存在する異なるサイズの大きい粒子（２μｍサイズ粒子および５μｍサイズ粒子）を特徴づけ得ることを実証する。
【００５８】
（実施例３）
電解質（ＩＳＯＴＯＮ（登録商標）ＩＩ  Ｄｉｌｕｅｎｔ）に浮遊する大きいサイズ粒子および小さいサイズの粒子を含む試料溶液を調整し、次いで粒子をカウントする従来の方法に従って分析した。具体的には、試料溶液は、０．１μｍの直径を有する小さいＰＳＬ粒子の次に述べる濃度、すなわち電解質１ｍＬ当り４．５×１０１０個の小さい粒子の濃度を含む。その溶液はまた、５μｍの直径を有する微量（１ｍＬ当り約１１００の粒子）の大きいＰＳＬ粒子を含む。従って、この試料は、大きい（５μｍ）粒子より４０００万倍高い、小さい（０．１μｍ）粒子の濃度を有する。
【００５９】
アパーチャの直径が５０μｍでありアパーチャ容積が６９ｐＬであることを除いて、上記の実施例１に説明される方法と同じ方法で試料溶液を２回分析した。１ｍＬ当り４．５×１０１０個の小さい粒子によって、懸濁液は、アパーチャ容積当り約３１００個の小さい粒子を含む。測定閾値電流は８００μＡに設定された。試料に対するランタイムは約２０６秒である。
【００６０】
図８は、同じ試料溶液の各分析に存在する粒子の粒子サイズ分布（すなわち、粒子サイズの関数としての粒子の数）を提示し、図において第１の分析は「ラン１」として識別され、第２は「ラン２」として識別される。得られたデータに基づいて、２．５％の分散で、「ラン１」は５μｍサイズ粒子を１９９６カウントし、一方、「ラン２」はそのような粒子を２０６７カウントした。
【００６１】
試料は、その後１００倍希釈されて、希釈された試料内において粒子カウントの精度を試験した。１ｍＬ当り４．５×１０８個の小さい粒子によって、この希釈に対する懸濁液は、アパーチャ容積当り約３１個の小さい粒子を含む。希釈された試料を、希釈されない試料に関して説明される方法と同じ方法で２回分析した。
【００６２】
図８は、同じ希釈された試料溶液の各分析に存在する粒子の粒子サイズ分布を提示し、第１の分析は「希釈された１００倍ラン１」として識別され、第２は「希釈された１００倍ラン２」として識別される。得られたデータに基づいて、１５％の分散で、「希釈された１００倍ラン１」は５μｍサイズ粒子を２９カウントし、一方、「希釈された１００倍ラン２」はそのような粒子を３６カウントした。
【００６３】
この実施例において得られたデータは、統計的サンプリング誤差−分散−および同じ試料の複数のラン間の結果の相違が希釈を減少させることによって減少され得ることを実証する。この例において、（ラン間における再現性の減少によって示されるような）サンプリング誤差は、１００倍希釈に対して６の係数だけ増加させられた。従って、この種類のサンプリング誤差は、従来の方法のもとで必要とされるような更なる希釈と共に増加する。
【００６４】
前述の実施例は、小さい粒子によってより高く濃縮させられた溶液に存在する大きい粒子を特徴づける効果的な方法を実証する。方法は、従来の粒子特徴づけ方法によって必要とされる甚だしい希釈をすることなく、正確な粒子特徴づけを達成する。方法はまた、誤差なしかまたは希釈に関連する誤差が減少して粒子が特徴づけられることを確実にする。
【００６５】
前述の説明は、理解の明快さのみのために与えられ、本発明の範囲内の修正は当業者に明らかであり得るように、その説明からいかなる不要な限定も理解されるべきではない。
【図１】
2012524908.tif 000004
【図１Ａ】
2012524908.tif 000005
【図２】
2012524908.tif 000006
【図３】
2012524908.tif 000007
【図４】
2012524908.tif 000008
【図５】
2012524908.tif 000009
【図６】
2012524908.tif 000010
【図７】
2012524908.tif 000011
【図８】
2012524908.tif 000012
【国際調査報告】
2012524908.tif 000013
2012524908.tif 000014
2012524908.tif 000015